(57)【特許請求の範囲】
【請求項１】
楽器本体の棚板に対して固定的であって前記棚板の両側部に位置する支持部と、
鍵盤蓋と、
第１回動軸を中心に前記鍵盤蓋を開閉方向に回動自在に保持する鍵盤蓋保持部と、
前記支持部に対して鍵の長手方向にスライド移動自在に設けられ、第２回動軸を中心に前記鍵盤蓋保持部を回動自在にして、前記鍵盤蓋保持部を少なくとも第１状態と該第１状態から跳ね上げられた第２状態とで保持可能な可動保持体とを有し、
前記鍵盤蓋保持部が前記第１状態にあるときに前記鍵盤蓋が閉蓋状態となると鍵盤部が前記鍵盤蓋によって覆われると共に、前記鍵盤蓋が開蓋状態となると前記鍵盤部の演奏操作が可能となり、
前記鍵盤蓋保持部が前記第１状態で且つ前記鍵盤蓋が開蓋状態にあるとき、前記鍵盤蓋と一緒に前記鍵盤蓋保持部を前記第２回動軸を中心に回動させて前記第２状態とすることで前記鍵盤蓋及び前記鍵盤蓋保持部が跳ね上げ状態となり、
前記鍵盤蓋及び前記鍵盤蓋保持部を前記跳ね上げ状態としたまま前記可動保持体を後方にスライド移動させることで、前記鍵盤蓋及び前記鍵盤蓋保持部が前記楽器本体に収容されるように構成されたことを特徴とする特徴とする鍵盤楽器の蓋体構造。
【請求項２】
前記鍵盤蓋保持部が前記第１状態にあるときは、該鍵盤蓋保持部によって前記鍵盤部の後部上方が奏者側に対して遮蔽される一方、前記鍵盤蓋保持部が前記第２状態にあるときは、前記鍵盤部の後部上方が奏者側に対して開放されるように構成されていることを特徴とする請求項１記載の鍵盤楽器の蓋体構造。
【請求項３】
前記楽器本体には、前記鍵盤蓋保持部の前記第２回動軸を中心とした回動動作をガイドするための変位ガイド部が設けられたことを特徴とする請求項１または２記載の鍵盤楽器の蓋体構造。
【請求項４】
前記鍵盤蓋保持部は少なくとも前記鍵盤部の幅を有し、前記鍵盤蓋保持部の両側部には係合部が設けられ、前記変位ガイド部は、前記係合部に対応して設けられ、且つ前記第２回動軸を中心とした円弧状部分を有し、前記鍵盤蓋保持部は、前記第２状態にないときは、前記変位ガイド部の前記円弧状部分と前記係合部との係合によって、前記可動保持体の後方へのスライド移動が阻止されるように構成されたことを特徴とする請求項３記載の鍵盤楽器の蓋体構造。
【請求項５】
前記変位ガイド部に、前記鍵盤蓋及び前記鍵盤蓋保持部を前記跳ね上げ状態に維持する維持手段が設けられたことを特徴とする請求項３または４記載の鍵盤楽器の蓋体構造。
【請求項６】
前記維持手段は、前記変位ガイド部のうち、前記円弧状部分に連続して前後方向に沿って設けられた前後動ガイド部であって、前記可動保持体のスライド移動行程において前記鍵盤蓋及び前記鍵盤蓋保持部を前記跳ね上げ状態に維持するように構成されたことを特徴とする請求項５記載の鍵盤楽器の蓋体構造。
【請求項７】
前記鍵盤蓋保持部が前記第１状態にあるとき、前記第２回動軸は前記第１回動軸より上方に位置し、前記鍵盤蓋保持部が前記第１状態にあるとき、前記鍵盤蓋の重さが前記第１回動軸を介して前記鍵盤蓋保持部に与える前記第２回動軸の回りの回転モーメントの方向が、前記鍵盤蓋保持部が前記第１状態から前記第２状態に遷移することに抗する方向と同じであることを特徴とする請求項１〜６のいずれか１項に記載の鍵盤楽器の蓋体構造。
【発明の詳細な説明】
【技術分野】
【０００１】
本発明は、鍵盤部を覆う鍵盤蓋を有する鍵盤楽器の蓋体構造に関する。
【背景技術】
【０００２】
従来、鍵盤楽器において、鍵盤部を覆う鍵盤蓋を開蓋するとき、鍵盤蓋が楽器本体に収容されるようにした蓋体構造が知られている（下記特許文献１、２）。
【０００３】
例えば、下記特許文献１の蓋体構造では、鍵盤蓋が後方にスライド移動して楽器本体内に収まる。下記特許文献２の蓋体構造では、鍵盤蓋を前板部に対して折り畳み可能に構成し、鍵盤蓋を開蓋状態にするにつれて、前板部が後方に移動するように構成されている。
【特許文献１】実公平７−４９５１１号公報
【特許文献２】特開平１１−６５５５２号公報
【発明の開示】
【発明が解決しようとする課題】
【０００４】
しかしながら、上記特許文献１、２の蓋体構造のいずれも、鍵盤蓋の開蓋動作時には、鍵盤蓋が鍵盤部の後方上方の空間と干渉するため、鍵盤部の後方上方の空間は常に空けておかなければならない。そのためその空間には、楽器としての各種機能要素等の部品を配置することができず、省スペースの観点で不利であった。
【０００５】
本発明は上記従来技術の問題を解決するためになされたものであり、その目的は、鍵盤蓋を、鍵盤部の後方且つ上方の空間に干渉しないように楽器本体に収容可能にして、鍵盤部の後方且つ上方の空間に部品の配置スペースを確保することができる鍵盤楽器の蓋体構造を提供することにある。
【課題を解決するための手段】
【０００６】
上記目的を達成するために本発明の請求項１の鍵盤楽器の蓋体構造は、楽器本体（１０１）の棚板（２１）に対して固定的であって前記棚板の両側部に位置する支持部（２３、２２）と、鍵盤蓋（６０）と、第１回動軸（６３）を中心に前記鍵盤蓋を開閉方向に回動自在に保持する鍵盤蓋保持部（６５）と、前記支持部に対して鍵の長手方向にスライド移動自在に設けられ、第２回動軸（６７）を中心に前記鍵盤蓋保持部を回動自在にして、前記鍵盤蓋保持部を少なくとも第１状態と該第１状態から跳ね上げられた第２状態とで保持可能な可動保持体（４２）とを有し、前記鍵盤蓋保持部が前記第１状態にあるときに前記鍵盤蓋が閉蓋状態となると鍵盤部（ＫＢ）が前記鍵盤蓋によって覆われると共に、前記鍵盤蓋が開蓋状態となると前記鍵盤部の演奏操作が可能となり、前記鍵盤蓋保持部が前記第１状態で且つ前記鍵盤蓋が開蓋状態にあるとき、前記鍵盤蓋と一緒に前記鍵盤蓋保持部を前記第２回動軸を中心に回動させて前記第２状態とすることで前記鍵盤蓋及び前記鍵盤蓋保持部が跳ね上げ状態となり、前記鍵盤蓋及び前記鍵盤蓋保持部を前記跳ね上げ状態としたまま前記可動保持体を後方にスライド移動させることで、前記鍵盤蓋及び前記鍵盤蓋保持部が前記楽器本体に収容されるように構成されたことを特徴とする特徴とする。
【０００７】
好ましくは、前記鍵盤蓋保持部が前記第１状態にあるときは、該鍵盤蓋保持部によって前記鍵盤部の後部（ＫＢａ）上方が奏者側に対して遮蔽される一方、前記鍵盤蓋保持部が前記第２状態にあるときは、前記鍵盤部の後部上方が奏者側に対して開放されるように構成されている（請求項２）。
【０００８】
好ましくは、前記楽器本体には、前記鍵盤蓋保持部の前記第２回動軸を中心とした回動動作をガイドするための変位ガイド部（４５）が設けられる（請求項３）。さらに好ましくは、前記鍵盤蓋保持部は少なくとも前記鍵盤部の幅を有し、前記鍵盤蓋保持部の両側部には係合部（６９）が設けられ、前記変位ガイド部は、前記係合部に対応して設けられ、且つ前記第２回動軸を中心とした円弧状部分（４５ａ）を有し、前記鍵盤蓋保持部は、前記第２状態にないときは、前記変位ガイド部の前記円弧状部分と前記係合部との係合によって、前記可動保持体の後方へのスライド移動が阻止されるように構成される（請求項４）。
【０００９】
好ましくは、前記変位ガイド部に、前記鍵盤蓋及び前記鍵盤蓋保持部を前記跳ね上げ状態に維持する維持手段（４５ｂ、４６）が設けられる（請求項５）。さらに好ましくは、前記維持手段は、前記変位ガイド部のうち、前記円弧状部分に連続して前後方向に沿って設けられた前後動ガイド部（４５ｂ）であって、前記可動保持体のスライド移動行程において前記鍵盤蓋及び前記鍵盤蓋保持部を前記跳ね上げ状態に維持するように構成される（請求項６）。
【００１０】
好ましくは、前記鍵盤蓋保持部が前記第１状態にあるとき、前記第２回動軸は前記第１回動軸より上方に位置し、前記鍵盤蓋保持部が前記第１状態にあるとき、前記鍵盤蓋の重さが前記第１回動軸を介して前記鍵盤蓋保持部に与える前記第２回動軸の回りの回転モーメントの方向が、前記鍵盤蓋保持部が前記第１状態から前記第２状態に遷移することに抗する方向と同じである（請求項７）。
【００１１】
なお、上記括弧内の符号は例示である。
【発明の効果】
【００１２】
本発明の請求項１によれば、鍵盤蓋を、鍵盤部の後方且つ上方の空間に干渉しないように楽器本体に収容可能にして、鍵盤部の後方且つ上方の空間に部品の配置スペースを確保することができる。
【００１３】
請求項２によれば、演奏するに際し、奏者側に対して楽器内部の遮蔽／開放を選択することができる。
【００１４】
請求項３によれば、鍵盤蓋保持部の回動動作が安定する。
【００１５】
請求項４によれば、鍵盤蓋及び鍵盤蓋保持部の跳ね上げ操作時にはそれらの後方への移動が規制されるので、跳ね上げ動作を安定的に行うことができる。
【００１６】
請求項５によれば、鍵盤部の後部上方が奏者側に対して開放された状態を維持することができる。
【００１７】
請求項６によれば、鍵盤蓋及び鍵盤蓋保持部の跳ね上げ動作とスライド動作が連続して円滑に行えるので、開蓋及び蓋収容の操作性が高い。
【００１８】
請求項７によれば、鍵盤蓋を開操作するとき、その操作に伴って鍵盤蓋保持部が第２状態の方向に回動してしまうことを抑制し、鍵盤蓋だけを円滑に開蓋操作することができる。
【発明を実施するための最良の形態】
【００１９】
以下、本発明の実施の形態を図面を参照して説明する。
【００２０】
図１は、本発明の一実施の形態に係る蓋体構造が適用される鍵盤楽器の平面図である。本鍵盤楽器１００は、電子鍵盤楽器として構成され、楽器本体１０１が不図示の脚部に支持されてなる。以降、楽器本体１０１の左右方向は、奏者からみた方向を基準とし、前後方向については、楽器本体１０１の奏者側を「前方」とする。
【００２１】
図２は、同鍵盤楽器１００の楽器本体１０１の内部を透視する右側面図である。図３は、図１のＡ部の拡大図である。図４は、楽器本体１０１の右側部の正面図である。図５は、蓋体構造を示す右側面図である。
【００２２】
図２に示すように、楽器本体１０１には、開閉蓋ユニットＵＮＴが設けられる。開閉蓋ユニットＵＮＴは、詳細は後述するが、主として蓋前部６２、鍵盤蓋６０及び前板部６５から構成される。
【００２３】
図１では、譜面受け１７（図２参照）等が外された状態が示されており、パネル部１０（図２参照）が見えている。また、図２では、左右対称の要素については、右側面に位置する右側の側板２３（図３参照）に対して直接または間接に取り付けられている要素が表されている。以降、蓋体構造に関し、左右対称の構成要素については、符号も区別することなく、右側の構成要素を代表して説明する。
【００２４】
図１、図３、図５では、開閉蓋ユニットＵＮＴが完全に閉じた状態が示され、図４では、開閉蓋ユニットＵＮＴが完全に開いた状態が示されている。さらに、図２では、鍵盤蓋６０が開蓋状態で且つ前板部６５が閉蓋状態である状態が示されている。
【００２５】
開閉蓋ユニットＵＮＴは、開閉操作行程において、大きく分けて４段階の姿勢（状態）をとることができる。以降、開閉蓋ユニットＵＮＴが完全に閉じた状態（図１、図３、図５参照）を「全閉状態」、鍵盤蓋６０が開蓋状態で且つ前板部６５が閉蓋状態である状態（図２、図６参照）を「半開状態（第１状態）」、開閉蓋ユニットＵＮＴが完全に開いた状態（図４、図７参照）を「全開状態（第２状態）」と呼称する。このほか、全開状態のまま開閉蓋ユニットＵＮＴが楽器本体１０１に収容された「収容完了状態」がある（図８で後述）。
【００２６】
図２、図４に示すように、楽器本体１０１の底部には、楽器本体１０１の全幅に亘って棚板２１が配設される。楽器本体１０１の左右両側部には、側板２３が棚板２１に対して固定され（図３参照）、棚板２１の前部内側には腕木２２が固定されている（図３、図４参照）。また、図２、図４に示すように、棚板２１の前部上部には、それぞれ複数の白鍵２４、黒鍵２５からなる鍵盤部ＫＢが配設されている。
【００２７】
また、図２に示すように、棚板２１において、鍵盤部ＫＢの後方には、パネル取付部１４を介してパネル部１０が配設されている。パネル部１０は、その後部が起きあがって斜めに傾斜しており、その前面には、電気的に音響を発生させる左右一対のスピーカ１２、機器設定や楽音制御等のための各種操作子群１１、各種情報を表示する表示部１３等、電子楽器としての機能要素が多数配設されている（図１参照）。さらに、楽器本体１０１の後半部であって、パネル部１０よりも後方には、スピーカボックスを含む音響発生部１５、１６が配設される。スピーカ１２、及び音響発生部１５、１６からの音響は、大屋根１８（図１参照）を開けて放音させることができる。後述するように、スピーカ１２の音響は、開閉蓋ユニットＵＮＴを全開状態にして、奏者側（前方）へ放音させることも可能である。
【００２８】
まず、開閉蓋ユニットＵＮＴを説明する。開閉蓋ユニットＵＮＴの姿勢が変化することに鑑み、以降、図５に示す全閉状態において、鍵盤蓋６０の後端部を第１端部６０ａ、前端部を第２端部６０ｂと称する。また、同じ状態で、前板部６５の下端部を第１端部６５ａ、上端部を第２端部６５ｂと称する。
【００２９】
図２、図５に示すように、蓋前部６２は、鍵盤蓋６０の第２端部６０ｂに、蓋前部用回動軸６１を介して回動自在に支持される。蓋前部６２は、鍵盤蓋６０に対して略直角をなす状態（図５参照）と、鍵盤蓋６０に対向する状態（図２参照）とをとることができる。蓋前部６２、鍵盤蓋６０及び前板部６５は、左右の腕木２２間に亘って設けられ、鍵盤部ＫＢの左右方向の幅よりやや大きい幅を有する。開閉蓋ユニットＵＮＴの全閉状態においては、蓋前部６２は、鍵盤部ＫＢの前方を覆う。
【００３０】
鍵盤蓋６０の第１端部６０ａは、前板部６５の第１端部６５ａに、鍵盤蓋用回動軸６３を中心に回動自在に支持される。ここで、鍵盤蓋６０の表面及び前板部６５の表面は、アコースティックグランドピアノ（以下、単に「生ピアノ」と称する）と同様の木質材で構成され、外観上も生ピアノのものと同じにされている。一方、鍵盤蓋６０の第１端部６０ａ、及び前板部６５の第１端部６５ａのうち回動機構に関わる部分は、いずれもそれぞれの左右両端部だけであり、且つ、少なくともその部分は、金属製の部材で構成される。
【００３１】
鍵盤蓋６０の第１端部６０ａには不図示のトルクダンパユニットが設けられる。鍵盤蓋用回動軸６３は、トルクダンパユニットから突出しており、前板部６５の第１端部６５ａに設けられた穴に嵌合している。このトルクダンパユニットは、ワンウェイトルク型であり、鍵盤蓋６０が開蓋方向（図２の時計方向）に回動する際にはトルクを発生させず、鍵盤蓋６０が閉蓋方向（反時計方向）に回動する際にだけ所定のトルクを発生させる。これにより、鍵盤蓋６０が軽い力で開けられると共に、閉蓋操作時には、鍵盤蓋６０がその自重で緩やかに閉まるようになっている。
【００３２】
前板部６５の裏面側において、第１端部６５ａと第２端部６５ｂの中間位置よりやや第２端部６５ｂ寄りには、トルクダンパユニット６６が設けられる（図２、図３参照）。ここで、少なくとも、トルクダンパユニット６６が設けられる前板部６５の裏面部分は、金属製部材で構成される。一方、後述するスライドアーム４２の前側アーム４３には、ダンパシャフト保持具６８が設けられる（図３参照）。トルクダンパユニット６６から突出するダンパシャフトである前板部用回動軸６７が、ダンパシャフト保持具６８の穴に嵌合している。これにより、前板部６５は、スライドアーム４２に、前板部用回動軸６７を中心に回動自在に支持されている。このトルクダンパユニット６６もワンウェイトルク型であり、前板部６５が閉蓋方向（図２の反時計方向）に回動する際にだけ所定のトルクを発生させる。これにより、前板部６５が軽い力で開けられると共に、閉蓋操作時には、前板部６５がその自重で緩やかに閉まるようになっている。
【００３３】
なお、鍵盤蓋６０の回動機構において、トルクを発生させるダンパ機構は、鍵盤蓋６０と前板部６５のいずれに設けてもよく、前板部６５の回動機構においても、前板部６５とスライドアーム４２のいずれに設けてもよい。図２に示すように、前板部６５の第２端部６５ｂの左右両端部には、係合ピン６９が左右に突出して設けられている。また、鍵盤蓋６０の第１端部６０ａには、手掛け用凹部６４が設けられている。手掛け用凹部６４は、第１端部６０ａにおける、左右の回動機構より内側において形成される。手掛け用凹部６４は、半開状態にある開閉蓋ユニットＵＮＴを全開状態にする際に手を掛ける部分である。なお、手掛け用凹部６４は、鍵盤部ＫＢに全幅に亘って設けてもよいし、第１端部６０ａにおける左右の所定箇所の各一部に設けてもよい。
【００３４】
開閉蓋ユニットＵＮＴの全閉状態では、鍵盤蓋６０によって鍵盤部ＫＢが覆われる。半開状態または全開状態では、鍵盤部ＫＢが開放され、演奏操作が可能となる。すなわち、鍵盤蓋６０及び前板部６５を開蓋状態にした場合はもちろんのこと、鍵盤蓋６０のみが開き前板部６５が閉まっている状態でも鍵盤演奏が可能なようになっている。
【００３５】
前板部６５は、閉蓋状態では、鍵盤部ＫＢの後部ＫＢａ上方を奏者側に対して遮蔽する一方、開蓋状態では、後部ＫＢａ上方を奏者側に対して開放する。後部ＫＢａ上方が開放されると、パネル部１０が奏者からみえ、且つその操作が可能となる。特に、スピーカ１２の音響は、後部ＫＢａ上方の開放部分から前方へ放音され、効率よい放音が可能となる。
【００３６】
図２、図５に示すように、スライドアーム４２は、前側アーム４３、後側アーム４４及びラック部材４０からなる。前側アーム４３と後側アーム４４とは金属で一体に形成されるが、それぞれ別体に構成し、両者を固着して一体的に構成してもよい。ラック部材４０は、前側アーム４３から後側アーム４４にかけて、スライドアーム４２の下面に固着されている。ラック部材４０の下面にはラックギヤ４１が全長に亘って形成されている。
【００３７】
図３に示すように、側板２３の腕木２２より後方の内側面には、ガイド取り付け用部材３０が固定されている。そして、ガイド取り付け用部材３０に、スライドガイド本体３１（図２、図５も参照）が取り付けられている。図２、図５に示すように、スライドガイド本体３１には、前後方向に沿った上下一対のガイドレール３６が互いに平行に設けられている。ガイドレール３６に対して、中間ガイド部材３２が、不図示の多数の円柱状ベアリングを介して摺動自在に係合している。ここで、本実施の形態では、スライドガイド本体３１に中間ガイド部材３２が組み付けられたものとして、市販のもの（例えば、ＴＨＫ社製のリニアスライド００４５Ｆ）を採用している。
【００３８】
一方、スライドアーム４２の後側アーム４４は、中間ガイド部材３２に対して摺動自在に係合しており、スライドアーム４２が前後方向にスライドする行程において、中間ガイド部材３２がその約半分の距離をスライド移動することで、スライドアーム４２がスライドガイド本体３１に対して滑らかにスライド移動できるようになっている。
【００３９】
図２、図５に示すように、スライドガイド本体３１の後部には、ストッパ部材３４が取り付けられ、ストッパ部材３４の前部に緩衝部材３５が取り付けられている。後側アーム４４の後端が緩衝部材３５に当接することで、スライドアーム４２のスライド行程の後端位置が規制される（図８参照）。また、スライドアーム４２のスライド行程の前端位置を規制する不図示のストッパ部材も設けられている。図２、図５では、スライドアーム４２が前端位置にある状態が示されている。スライドアーム４２及びそれに関連する要素は、楽器本体１０１の左側においても左右対称に設けられる。
【００４０】
また、図２、図３、図５に示すように、側板２３には連動棒保持具３７が固定され、連動棒保持具３７に、連動棒３８の端部が回転自在に保持されている。連動棒３８の端部には、ラック部材４０のラックギヤ４１と噛み合うピニオンギヤ３９が回転一体に取り付けられている。左側の側板においてもこれと同じ機構が左右対称に設けられる。従って、左右のピニオンギヤ３９は連動棒３８と一体に回転するようになっている。すなわち、スライドアーム４２は、ガイドレール３６にガイドされて前後方向にスライドするが、その際、左右のピニオンギヤ３９と、対応するラックギヤ４１との噛み合いによって、左右のスライドアーム４２の移動量が常に同じになるようになっている。これにより、スライドアーム４２が水平方向にローリングしてがたつくようなことがなく、常に安定した姿勢を保って円滑に前後方向にスライド移動する。
【００４１】
図２、図３に示すように、腕木２２の内側には、ガイド溝４５が設けられる。ガイド溝４５は、別体で構成した金属製等の溝付きの部材を腕木２２に固着して設けられるが、腕木２２に直接刻設してもよい。図２に示すように、ガイド溝４５は、円弧状部分４５ａとストレート部分４５ｂとが連続して形成されてなる。円弧状部分４５ａは、前板部用回動軸６７を中心とした円上に形成される。ストレート部分４５ｂは前後方向に沿って形成される。一方、図２、図５に示すように、棚板２１の内側には、ガイド溝４５のストレート部分４５ｂに連接するガイド部材３３が固定されている。ガイド溝４５とガイド部材３３は、楽器本体１０１の左側においても左右対称に設けられる。
【００４２】
ガイド溝４５には、前板部６５の係合ピン６９が摺動可能に係合している。前板部６５の閉蓋状態においては、係合ピン６９が円弧状部分４５ａの前端部に係合している（図２参照）。前板部６５が前板部用回動軸６７を中心に回動するとき、左右の係合ピン６９が、対応するガイド溝４５の円弧状部分４５ａに案内されて、前板部６５が安定して回動する。前板部６５が開蓋状態となった時点においては、係合ピン６９が円弧状部分４５ａの後端部であってストレート部分４５ｂとの接続部分に位置する。
【００４３】
ガイド溝４５のストレート部分４５ｂは、その上側の面がスライドアーム４２のスライド移動時において係合ピン６９と係合し、前板部６５が閉蓋方向に回動することを阻止して前板部６５を開蓋状態に維持する役割を果たす。また、ガイド部材３３の下面３３ａも、係合ピン６９と係合して同様の役割を果たす。ガイド部材３３の下面３３ａの上下方向の位置は、ストレート部分４５ｂの上側の面とほぼ同じであり、スライドアーム４２のスライド移動時において、係合ピン６９がストレート部分４５ｂとガイド部材３３の下面３３ａとの間で円滑に受け渡されるようになっている。
【００４４】
ところで、本鍵盤楽器１００は、開閉蓋ユニットＵＮＴの全閉状態ではまったく生ピアノのような外観に構成されている。また、半開状態においても、生ピアノにおいて鍵盤蓋を開けたのと同じような外観に仕上げられている。一方、パネル部１０は、閉蓋状態にある前板部６５の下半部の後方において、前板部６５の下半部とほぼ同じ高さに位置する。従って、開閉蓋ユニットＵＮＴを全開状態にしたときは、奏者からみるとパネル部１０が現れて操作可能となり、外観も電子鍵盤楽器らしくなる。ちなみに、図２のＰ２は、パネル部１０の最上位置を示す。また、開閉蓋ユニットＵＮＴの半開状態においては、メインスイッチを入れると、デフォルトで生ピアノの音が発音されるようになっていて、他の操作子の操作を必要とすることなく、生ピアノと同じ感覚で演奏を開始することができるようになっている。なお、鍵盤蓋６０を開けただけでメインスイッチが自動的に入って、生ピアノの音での演奏が直ちに開始できるように構成してもよい。
【００４５】
次に、開閉蓋ユニットＵＮＴの開閉及び収容動作を説明する。
【００４６】
図６は、開閉蓋ユニットＵＮＴの半開状態を示す蓋体構造の右側面図である。図７は、開閉蓋ユニットＵＮＴの全開状態であって楽器本体１０１への収容途中の状態を示す蓋体構造の右側面図である。図８は、開閉蓋ユニットＵＮＴの楽器本体１０１への収容完了状態を示す蓋体構造の右側面図である。
【００４７】
まず、図５に示す全閉状態において、蓋前部６２の不図示の把持部を持って持ち上げると、鍵盤蓋６０が鍵盤蓋用回動軸６３を中心に開蓋方向に回動し、図６に示すように、鍵盤蓋６０が前板部６５に面対向する折り畳み状態となる。さらに、蓋前部６２を折りたたんで、図２に示すような、蓋前部６２、鍵盤蓋６０及び前板部６５が折り畳み状態となった半開状態とする。この状態で鍵盤部ＫＢを演奏してもよい。
【００４８】
ここで、前板部６５は、単独でも、その自重バランスによって、閉蓋状態において前板部用回動軸６７を中心として図２の反時計方向に付勢されている。しかも、鍵盤蓋６０と連結されていることで、鍵盤蓋６０の重さが第１端部６５ａにかかり、それにより前板部６５に与えられる前板部用回動軸６７の回りの回転モーメントの方向も、図２の反時計方向である。これらにより、前板部６５は、閉蓋状態から開蓋状態に遷移することに抗する方向に付勢されている。従って、蓋前部６２を持って鍵盤蓋６０を普通に持ち上げる程度の操作では、鍵盤蓋６０のみが回動し、前板部６５は回動することがない。従って、鍵盤蓋６０の開蓋操作が円滑である。
【００４９】
次に、鍵盤蓋６０の第１端部６０ａの手掛け用凹部６４（図２参照）に手を掛けて持ち上げると、前板部用回動軸６７を中心に、鍵盤蓋６０と一緒に前板部６５が開蓋方向に回動する。その際、係合ピン６９がガイド溝４５の円弧状部分４５ａを摺動する。すると、開閉蓋ユニットＵＮＴは、図７に示すような全開状態となる。すなわち、開閉蓋ユニットＵＮＴが折り畳み状態で且つ水平に近い「跳ね上げ状態」となる。この状態で鍵盤部ＫＢを演奏してもよい。
【００５０】
ここで、前板部６５の回動途中においては、係合ピン６９がガイド溝４５の円弧状部分４５ａに係合しており、円弧状部分４５ａによって係合ピン６９の前後方向の動きが規制されている。そのため、前板部６５の回動途中においては、スライドアーム４２は後方への移動を阻止されていて、前端位置でとどまるから、前板部６５の開蓋操作が円滑に行える。
【００５１】
また、開閉蓋ユニットＵＮＴを跳ね上げた直後は、手掛け用凹部６４にかけた力がわずかに開閉蓋ユニットＵＮＴに対して後方にかかるのが通常である。その力によって、係合ピン６９は、ガイド溝４５の円弧状部分４５ａとの係合からストレート部分４５ｂとの係合に遷移する。ストレート部分４５ｂに係合ピン６９が係合すると、開閉蓋ユニットＵＮＴは、閉まることがないので、未だ不安定ではあるものの、全開状態が一応維持される。なお、ストレート部分４５ｂに係合ピン６９が係合しなかったとしても、上記したトルクダンパユニット６６の存在により、開閉蓋ユニットＵＮＴが急激に閉まることは回避される。
【００５２】
次に、開閉蓋ユニットＵＮＴを後方に軽く押すと、ガイド本体３１のガイドレール３６に対して、中間ガイド部材３２を介して、スライドアーム４２が後方にスライド移動していく。開閉蓋ユニットＵＮＴも、係合ピン６９がストレート部分４５ｂと係合することで、跳ね上げ状態を維持したまま後方に移動していく。また、スライドの途中で、係合ピン６９がストレート部分４５ｂを外れてガイド部材３３の下面３３ａと係合するが、依然として跳ね上げ状態を維持したまま移動する。
【００５３】
スライド移動時においては、上述したように、左右のピニオンギヤ３９とラックギヤ４１との噛み合いによって、左右のスライドアーム４２が円滑にスライド移動する。そして、後側アーム４４の後端が緩衝部材３５に当接するまでスライドアーム４２をスライドさせると、スライドアーム４２と共に開閉蓋ユニットＵＮＴが楽器本体１０１内に収容された状態となる（図８参照）。図７に示す状態から図８に示す状態の間のいずれにおいても、鍵盤部ＫＢの演奏は可能である。
【００５４】
開閉蓋ユニットＵＮＴを閉じる場合は、図８に示す収容完了状態から、開閉蓋ユニットＵＮＴを前方にスライドさせて引っ張り出す。そして、前端位置までスライドさせて、係合ピン６９がガイド溝４５の円弧状部分４５ａに係合すると、開閉蓋ユニットＵＮＴが自重でゆっくり閉蓋方向に回動し、半開状態となる。その後、蓋前部６２を開くのと並行して鍵盤蓋６０を閉じれば、全閉状態に復帰する。
【００５５】
ここで、開閉蓋ユニットＵＮＴの全開状態（跳ね上げ状態）においては、開閉蓋ユニットＵＮＴの最下端位置（図７において鍵盤蓋６０の第１端部６０ａのＰ１で示す位置）は、パネル部１０の最上位置Ｐ２（図２参照）よりも高く、半開状態における開閉蓋ユニットＵＮＴの最下端位置（図２における鍵盤蓋６０の第１端部６０ａの上記Ｐ１と同じ位置）と比べても、はるかに高い位置に位置する。従って、跳ね上げ状態のまま前後に移動する開閉蓋ユニットＵＮＴが、パネル部１０に対して干渉することがない。
【００５６】
次に、パネル部１０の前部の構成を説明する。図９は、パネル部１０の前部の拡大断面図である。パネル部１０の前部には、カバー体７０が鍵盤部ＫＢの幅に亘って設けられる。図１０は、カバー体７０の部分平面図である。
【００５７】
図９に示すように、パネル部１０の前部でもある下端部には、支持部材７４が固定され、カバー体７０のカバー本体７１が、支持部材７４とパネル部１０の下端部上部とに固定されている。カバー本体７１の前端部は、下方に屈曲して、鍵盤部ＫＢの後方を目隠ししている。カバー体７０は、鍵盤部ＫＢの後部ＫＢａの直ぐ上方に配置され、詳細には、前後方向における、黒鍵２５の上部後端２５ａから白鍵２４の上部後端２４ａまでの間に位置する。開閉蓋ユニットＵＮＴの全開状態では、カバー体７０の上面が奏者から完全に見える。また、開閉蓋ユニットＵＮＴの半開状態においても、開閉蓋ユニットＵＮＴの下端部と黒鍵２５の上部後端２５ａとの隙間からカバー体７０の大部分が見える。特に、開閉蓋ユニットＵＮＴには手掛け用凹部６４が設けられているため、手掛け用凹部６４が設けられている範囲では、カバー体７０がよく見える。
【００５８】
図９、図１０に示すように、カバー本体７１の内側には、各白鍵２４、黒鍵２５に対応して、透明樹脂等でなるレンズ体７２が設けられる。レンズ体７２は、後端面７２ｃと、前部において下方を向いた斜面７２ｂと、斜面７２ｂの上方における放光面である上面７２ａとを有する。一方、カバー本体７１の上面には、レンズ体７２に対応して透孔７１ａが形成されている。レンズ体７２の上面７２ａが、透孔７１ａ内に位置している。また、カバー本体７１において、透孔７１ａを覆うように、カバー本体７１の全幅に亘ってシート部材７３が貼着されており、シート部材７３に、レンズ体７２の上面７２ａが近接対向している。さらに、パネル部１０の下端部においては、レンズ体７２の後端面７２ｃに近接して、ＬＥＤ７５が、各レンズ体７２に対応して配設されている。
【００５９】
ＬＥＤ７５は所定の明るさで発光する。ＬＥＤ７５が発光すると、その光が、図９に矢印７６で示すように、対応するレンズ体７２の後端面７２ｃから入射し、レンズ体７２の内部を経て斜面７２ｂで内面反射して、上面７２ａから放光される。
【００６０】
ここで、シート部材７３は、半透明材で構成され、ＬＥＤ７５が発光しているときはシート部材７３を通過する光（レンズ体７２の上面７２ａからの放光）が視認でき、且つ、ＬＥＤ７５が発光していないときは、レンズ体７２やＬＥＤ７５自体の存在がシート部材７３で隠れて視認できないような材料で構成される。具体的には、特許第３１４９１０７号で示されるような、鍵の素材に用いられる材料を採用することができる。例えば、透明性を有するベース樹脂に、黒色等の着色のための顔料と、光拡散性を有する光拡散剤とを含有させた材料でシート部材７３を構成する。シート部材７３の色は限定されない。ＬＥＤ７５の発光強度との兼ね合いを考慮して、シート部材７３が上記のような性質を満たすように、その材料に含有される顔料と光拡散剤との配合によって、表面色、光透過性、光拡散性を調節すればよい。
【００６１】
図示はしないが、本鍵盤楽器１００には、各白鍵２４、黒鍵２５の個々の操作を検出する押鍵センサ、自動演奏データを記憶する記憶部、音源回路、鍵盤楽器１００全体の制御を司るＣＰＵ等が備えられる。ＬＥＤ７５は、演奏練習等に用いられる。例えば、マニュアル演奏モードでは、各ＬＥＤ７５は、対応する鍵２４、２５が所定以上の強さで押鍵されたときに発光する。自動演奏モードでは、自動演奏データに従って、各ＬＥＤ７５が発光し、いわゆる演奏支援が可能である。
【００６２】
カバー体７０は、演奏可能時には常に奏者から見える。しかし、ＬＥＤ７５が発光していないときは、カバー体７０は単なる装飾用等のカバーとしてしか認識されず、レンズ体７２乃至ＬＥＤ７５の存在が意識されることがない。特に、開閉蓋ユニットＵＮＴを半開状態として演奏するときでも、レンズ体７２の存在が意識されないので、生ピアノのような外観のまま演奏ができる。
【００６３】
一方、レンズ体７２乃至ＬＥＤ７５を演奏支援等に用いる場合は、開閉蓋ユニットＵＮＴを全開状態とすれば、レンズ体７２からの放光が、シート部材７３の透孔７１ａに対応する部分から支障なく視認される。しかもその際には、鍵盤部ＫＢの後部ＫＢａ上方において、奏者側に対して開放される部分に、パネル部１０が現れるので、電子鍵盤楽器としての演奏も支障なく行うことができる。
【００６４】
なお、開閉蓋ユニットＵＮＴの開閉状態を検出する検出部を設け、半開状態では、ＬＥＤ７５の発光が一律に禁止されるように構成してもよい。すなわち、全開状態のときにのみＬＥＤ７５の発光機能が許容されるようにしてもよい。そのようにすれば、仮に押鍵に連動して発光するようなモードに設定されていたとしても、開閉蓋ユニットＵＮＴを半開状態にするだけで、発光機能停止の操作等を行う必要なく、生ピアノとしての演奏を自然に行うことができる。
【００６５】
本実施の形態によれば、開閉蓋ユニットＵＮＴにおいて、鍵盤蓋６０のみを開蓋して半開状態とすれば、生ピアノのような外観のまま演奏ができる。また、鍵盤蓋６０と一緒に前板部６５を開蓋して全開状態とすれば、鍵盤部ＫＢの後部ＫＢａ上方を開放した状態でも演奏することができる。しかも、全開状態としたときに奏者側に対して開放される部分に、電子楽器としての機能要素を配設したパネル部１０が配設され、操作も可能となるので、スピーカ１２（図２参照）の放音効率が向上すると共に、電子楽器としての演奏も支障なく行うことができる。すなわち、演奏するに際し、奏者側に対して楽器本体１０１の内部の遮蔽／開放を選択することができ、生ピアノのような外観での演奏と、電子楽器としての演奏を選択することができる。
【００６６】
本実施の形態によればまた、開閉蓋ユニットＵＮＴにおいて、鍵盤蓋６０及び前板部６５を跳ね上げ状態としたままスライドアーム４２（図２参照）を後方にスライド移動させることで、開閉蓋ユニットＵＮＴが楽器本体１０１に収容されるので、演奏するに際し、開閉蓋ユニットＵＮＴを、鍵盤部ＫＢの後方且つ上方の空間に干渉しないように楽器本体１０１に収容でき、当該空間に部品の配置スペースを確保することができる。その結果、開閉蓋ユニットＵＮＴの開閉動作に支障を与えることにない配置スペースに、楽器としての機能要素を配設したパネル部１０を配置することが可能となった。従って、生ピアノのような外観での演奏と、電子楽器としての演奏を可能としつつも、楽器本体１０１の省スペースを図ることができる。また、開閉蓋ユニットＵＮＴが収容された状態で演奏でき、目障りとならず、見栄えもよい。
【００６７】
また、前板部６５は、前板部用回動軸６７を中心として回動する際、係合部６９がガイド溝４５の円弧状部分４５ａに案内されるので（図２参照）、前板部６５の回動動作が安定する。しかも、前板部６５の回動途中においては、係合ピン６９がガイド溝４５の円弧状部分４５ａに係合していることで、スライドアーム４２（図２参照）が後方へ移動できないので、前板部６５の開蓋操作乃至開閉蓋ユニットＵＮＴの跳ね上げ動作を安定的に行うことができる。
【００６８】
また、開閉蓋ユニットＵＮＴを全開状態にしたとき、ガイド溝４５のストレート部分４５ｂに係合ピン６９を係合させれば、開閉蓋ユニットＵＮＴの全開状態が維持されるので、鍵盤部ＫＢの後部ＫＢａ上方が奏者側に対して開放された状態を容易に維持することができる。しかも、開閉蓋ユニットＵＮＴをスライドアーム４２と共に前後方向に移動させる際にも、全開状態が維持されるので、スライド移動操作時に開閉蓋ユニットＵＮＴを支えなくてもよく、移動操作が容易である。
【００６９】
しかも、ガイド溝４５の円弧状部分４５ａとストレート部分４５ｂとは連接して形成されているので、開閉蓋ユニットＵＮＴの跳ね上げ動作とスライド動作とが連続して円滑に行え、開蓋及び蓋収容の操作性が高い。
【００７０】
また、開閉蓋ユニットＵＮＴの半開状態において、前板部６５の自重及び鍵盤蓋６０の重さがかかることによる、前板部６５に与えられる前板部用回動軸６７の回りの回転モーメントの方向が、図２の反時計方向であって、前板部６５が、閉蓋状態から開蓋状態に遷移することに抗する方向に付勢されている。これにより、開閉蓋ユニットＵＮＴの半開状態から鍵盤蓋６０を開蓋操作するとき、その操作に伴って前板部６５が開蓋方向に回動してしまうことを抑制し、鍵盤蓋６０だけを円滑に開蓋操作することが容易である。
【００７１】
本実施の形態によればまた、ＬＥＤ７５が発光しているときにのみ、カバー体７０のシート部材７３を介して奏者にその光が視認されるように構成したので、演奏するに際し、発光機能の存在を意識させることのない演奏と、発光を視認させる演奏とを選択することができる。しかも、開閉蓋ユニットＵＮＴを半開状態として演奏する際に、ＬＥＤ７５を発光させなければ、発光機構の存在が意識されないので、生ピアノのような外観のまま演奏することができる。
【００７２】
また、レンズ体７２から発した光を透過させる半透明材として、カバー本体７１の透孔７１ａを覆うシート部材７３を採用したので、上述の特殊な条件で製造される素材であるシート部材７３を、各透孔７１ａ毎に個別に多数製造することに比し、製造が容易で、コストも低く抑えることができる。
【００７３】
なお、本実施の形態においては、ガイド溝４５のストレート部分４５ｂと前板部６５の係合ピン６９との係合により、開閉蓋ユニットＵＮＴが半開状態に維持されるとした。しかし、これに限るものではない。図１１（ａ）は、ガイド溝４５の変形例を示す部分側面図である。例えば、図１１（ａ）に示すように、ガイド溝４５の円弧状部分４５ａのうちストレート部分４５ｂとの接続部近傍において、上側の面に、金属等の弾性片４６を設けてもよい。
【００７４】
弾性片４６は、円弧状部分４５ａ内に出没可能に設けられ、自由状態では同図（ａ）に示すように円弧状部分４５ａの内側に突出し、一方、円弧状部分４５ａの内側から押圧されると外側に引っ込むようになっている。前板部６５が開蓋状態となって、係合ピン６９が円弧状部分４５ａの後部に到達し、弾性片４６を乗り越えると、弾性片４６に係合ピン６９が引っ掛かり、手を離しても、前板部６５が閉蓋方向に回動しないようになる。これにより、開閉蓋ユニットＵＮＴが半開状態に維持される。
【００７５】
なお、本実施の形態において、構成を簡単にする観点で、スライドアーム４２がスライドする機構を設けることなく、単に、開閉蓋ユニットＵＮＴを全閉状態から全開状態まで遷移させることができるだけの構成としてもよい。その場合は、前板部６５を開蓋状態に遷移させる機構としては、前板部用回動軸６７による回動支持か、または係合ピン６９とガイド溝４５の円弧状部分４５ａとの係合の、いずれか一方のみを採用してもよい。前板部用回動軸６７を採用しない場合は、ガイド溝４５の円弧状部分４５ａは、必ずしも円弧状でなくてもよく、前板部６５を最終的に開蓋状態に導くような形状であればよい。また、このように、前板部用回動軸６７か円弧状部分４５ａのいずれかを廃止する場合であっても、上記した弾性片４６のような、開閉蓋ユニットＵＮＴを全開状態に維持する機構を設けるのが望ましい。前板部用回動軸６７によってのみ前板部６５を回動支持する場合は、前板部６５を開蓋状態で維持するための係止部等を、楽器本体１０１の適所に設けるのが望ましい。
【００７６】
なお、本実施の形態では、カバー体７０のシート部材７３を半透明材としたが、これに限るものではない。すなわち、ＬＥＤ７５が発光しているときにのみ、カバー体７０の一部を介して奏者にその光が視認されるように構成すればよい。図１１（ｂ）は、カバー体の変形例を示す断面図である。
【００７７】
例えば、図１１（ｂ）に示すように、保持部８１とレンズ体８２とを、樹脂で２色成形により形成して、一体のカバー体８０を構成してもよい。保持部８１の材料は、上記したシート部材７３と同様の半透明材である。レンズ体８２は、レンズ体７２と同様の透明樹脂でなり、レンズ体７２の上面７２ａ、斜面７２ｂ、後端面７２ｃと同様の上面８２ａ、斜面８２ｂ、後端面８２ｃを有する。レンズ体８２の上面８２ａと保持部８１のレンズ対向部８１ａとは当接対向しており、レンズ対向部８１ａはシート部材７３と同程度に薄く形成されている。
【００７８】
保持部８１の後部下部には取り付け用穴８３が形成され、この取り付け用穴８３にて、パネル部１０にカバー体８０が取り付けられる。ＬＥＤ７５の配置は、図示はしないが、図９に示したのと同様である。レンズ対向部８１ａが、シート部材７３と同様の機能を果たし、ＬＥＤ７５が発光しているときにのみ、レンズ体８２の上面８２ａから放光される光が、レンズ対向部８１ａを介して視認される。このような構成を採用しても、構成が簡単で、製造も容易である。
【００７９】
なお、本実施の形態において、前板部６５を回動支持する機構、及びスライドアーム４２をスライドさせる機構（スライドガイド本体３１、連動棒保持具３７等）は、左右の側板２３乃至腕木２２に設けられた。しかし、これに限るものでなく、これらを支持する支持部としては、棚板２１に対して固定的な部分乃至部材であって、互いに左右方向に離間した少なくとも２箇所の部分乃至部材であればよい。
【００８０】
なお、ガイド溝４５の円弧状部分４５ａは、連続的な溝として構成したが、係合ピン６９との係合が適切になされ、係合ピン６９を案内できるるような構成であればよく、例えば、一部が断続している間欠的な溝として構成してもよい。
【００８１】
なお、開閉蓋ユニットＵＮＴを折り畳み状態で跳ね上げるように構成する観点からは、係合ピン６９と前板部用回動軸６７の上下位置関係を逆にしてもよい。その場合は、前板部６５は、図２の反時計方向が開蓋方向になる。ガイド溝４５の円弧状部分４５ａとスライドアーム４２等のスライド機構との上下関係も逆にする。ガイド溝４５の円弧状部分４５ａは、側面視において、図２に示した前方上方に凸の形状ではなく、後方下方に凸の形状となる。
【００８２】
なお、パネル部１０に配設された音響発生部は、スピーカ１２であるとしたが、開閉蓋ユニットＵＮＴを全開状態としたときに奏者側に対して開放される部分に配設される音響発生部は、このような電気的に音響を発生させるものに限定されず、弦、響板等の、アコースティックな音響を発生させるものであってもよい。特に、奏者側に開放して放音効率を高めるという観点に限って言えば、本鍵盤楽器１００は、電子楽器に限定されず、アコースティックな鍵盤楽器であってもよい。
【図面の簡単な説明】
【００８３】
【図１】本発明の一実施の形態に係る蓋体構造が適用される鍵盤楽器の平面図である。
【図２】同鍵盤楽器の楽器本体の内部を透視する右側面図である。
【図３】図１のＡ部の拡大図である。
【図４】楽器本体の右側部の正面図である。
【図５】蓋体構造を示す右側面図である。
【図６】開閉蓋ユニットの半開状態を示す蓋体構造の右側面図である。
【図７】開閉蓋ユニットの全開状態であって楽器本体への収容途中の状態を示す蓋体構造の右側面図である。
【図８】開閉蓋ユニットの楽器本体への収容完了状態を示す蓋体構造の右側面図である。
【図９】パネル部の前部の拡大断面図である。
【図１０】カバー体の部分平面図である。
【図１１】ガイド溝の変形例を示す部分側面図（図（ａ））、及びカバー体の変形例を示す断面図（図（ｂ））である。
【符号の説明】
【００８４】
２１  棚板、  ２２  腕木（支持部）、  ２３  側板（支持部）、  ４２  スライドアーム（可動保持体）、  ４５  ガイド溝（変位ガイド部）、  ４５ａ  円弧状部分、  ４５ｂ  ストレート部分（維持手段、前後動ガイド部）、  ４６  弾性片（維持手段）、  ６０  鍵盤蓋、  ６３  鍵盤蓋用回動軸（第１回動軸）、  ６５  前板部（鍵盤蓋保持部）、  ６７  前板部用回動軸（第２回動軸）、  ６９  係合ピン（係合部）、  ＫＢ  鍵盤部、  ＫＢａ  後部、  １００  鍵盤楽器、  １０１  楽器本体
【図１】
0004591358.tif 000002
【図２】
0004591358.tif 000003
【図３】
0004591358.tif 000004
【図４】
0004591358.tif 000005
【図５】
0004591358.tif 000006
【図６】
0004591358.tif 000007
【図７】
0004591358.tif 000008
【図８】
0004591358.tif 000009
【図９】
0004591358.tif 000010
【図１０】
0004591358.tif 000011
【図１１】
0004591358.tif 000012